(57)【要約】【課題】ユーザの姿勢特性や習慣の違いによって可変的に最適化して使用することができる机取り付け型姿勢矯正器を提供すること。【解決手段】机の上板に固定されるように側面が「コ」形状を有し、背面に垂直方向に沿って挿入溝が形成されている机固定部材、前記机固定部材の上面または下面を貫通して配置され、机の上板に密着される机密着部及び密着強度を調節する密着調節ネジを含む密着部材、前記挿入溝に挿入され、挿入の長さが調節されることで高さの調節が可能であり、末端に回転軸及び回転ロック手段を含む高さ調節部材、机の前面に位置したユーザの姿勢を矯正し、前記ユーザと密着する姿勢矯正パッド、及び一方の末端が前記姿勢矯正パッドと結合され、他方の末端は前記高さ調節部材の回転軸と結合されることによって、前記姿勢矯正パッドを前記高さ調節部材と連結させ、回転可能なパッド連結部材を備える。【選択図】図１
2015136628.tif 000002
【特許請求の範囲】
【請求項１】
机の上板に固定される「コ」形状を有する側面と、垂直方向に沿って挿入溝が形成されている背面とを備える机固定部材と、
前記机固定部材の上面または下面を貫通して配置され、机の上板に密着される机密着部及び密着強度を調節する密着調節ネジを含む密着部材と、
前記挿入溝に挿入され、挿入の長さの調節により高さの調節が可能であり、末端に回転軸及び回転ロック手段を含む高さ調節部材と、
机の前面に位置したユーザの姿勢を矯正し、前記ユーザと密着する姿勢矯正パッドと、
一方の末端が前記姿勢矯正パッドと結合され、他方の末端が前記高さ調節部材の回転軸と結合されることによって、前記姿勢矯正パッドを前記高さ調節部材と連結させ、回転可能なパッド連結部材を含み、
前記姿勢矯正パッドは、前記パッド連結部材と回転軸結合を介して回転可能に結合され、また、１８０度以上回転可能である
ことを特徴とする机取り付け型姿勢矯正器。
【請求項２】
前記挿入溝の外面に、前記高さ調節部材の変形された高さを固定する高さ固定部材が結合されている
請求項１に記載の机取り付け型姿勢矯正器。
【請求項３】
前記高さ固定部材は、ネジを含み、前記外面に、前記ネジが貫通され得るナット構造を含む貫通孔が形成されている
請求項２に記載の机取り付け型姿勢矯正器。
【請求項４】
前記姿勢矯正パッドは、パッド支持部及び前記パッド支持部と結合され、弾性を有する材質からなる緩衝パッドを含む
請求項１に記載の机取り付け型姿勢矯正器。
【発明の詳細な説明】
【技術分野】
【０００１】
本発明は、学習用または事務用補助機構に関し、机で学習や作業する際に、学習者や作業者が正しい姿勢を維持することができるようにして、ユーザの身体疲労を低減することで、学習や作業能率を向上させることができる補助機構に関する技術である。
【背景技術】
【０００２】
最近、生徒やコンピューターを長時間に亘って接する作業者の誤った姿勢習慣によって、多様な身体問題が引き起こされていることが話題になっている。また、誤った姿勢は各種の疲れを誘発し、究極的には学習及び作業効率を悪化するため、机の前で姿勢を正しく維持することは非常に重要である。
【０００３】
このような姿勢の重要性を考慮して、多様な機能性の椅子製品及び、机とユーザの腹部との間に配置して正しい姿勢を誘導する各種パッド製品が流通されている。しかし、このような製品は、作業者の姿勢の性向などによって可変的に作用されることができず、汎用的に適用される製品であるため、実質的な効果には限界がある。
【発明の概要】
【発明が解決しようとする課題】
【０００４】
本発明は、上述したような従来技術の問題点を解決するために導出された発明であって、ユーザの姿勢特性や習慣の違いによって可変的に最適化して使用することができる机取り付け型姿勢矯正器を提供することを課題とする。
【課題を解決するための手段】
【０００５】
本発明の一実施例による机取り付け型姿勢矯正器は、机の上板に固定されるように側面が「コ」形状を有し、背面に垂直方向に沿って挿入溝が形成されている机固定部材と、前記机固定部材の上面または下面を貫通して配置され、机の上板に密着される机密着部及び密着強度を調節する密着調節ネジを含む密着部材と、前記挿入溝に挿入され、挿入の長さが調節されることで高さの調節が可能であり、末端に回転軸及び回転ロック手段を含む高さ調節部材と、机の前面に位置したユーザの姿勢を矯正し、前記ユーザと密着する姿勢矯正パッドと、一方の末端が前記姿勢矯正パッドと結合され、他方の末端は前記高さ調節部材の回転軸と結合されることによって、前記姿勢矯正パッドを前記高さ調節部材と連結させ、回転可能なパッド連結部材を含む。
【０００６】
前記挿入溝の外面には前記高さ調節部材の変形された高さを固定する高さ固定部材が結合されている。前記高さ固定部材は、ネジを含み、前記外面には前記ネジが貫通され得るナット構造を含む貫通孔が形成されている。
【０００７】
前記姿勢矯正パッドは、パッド支持部及び前記パッド支持部と結合され、弾性を有する材質からなる緩衝パッドを含み、前記姿勢矯正パッドは１８０度以上回転可能である。
【０００８】
前記姿勢矯正パッドは、前記パッド連結部材と回転できるように結合されている。
【発明の効果】
【０００９】
本発明の一実施例による机取り付け型姿勢矯正器は、パッドの高さと回転位置が可変的に変形されることができ、多様なパッドの位置組み合わせが可能であり、これによって、ユーザ適合型の多様な変形活用が可能なので、多様な姿勢を取る全ユーザに汎用的に使用可能である。
【００１０】
特に、本発明は、姿勢矯正パッドが高さ変形及び２個所の回転可能要素を含むことで、実質的に、高さだけではなくユーザの前面とパッドとの距離も調節できるという長所を有する。
【図面の簡単な説明】
【００１１】
【図１】本発明の一実施例による机取り付け型姿勢矯正器を示した斜視図
【図２】図１の机取り付け型姿勢矯正器の机保護部材を説明するための斜視図
【図３】図１の姿勢矯正パッドの活用例を示した側面図
【図４】図１の姿勢矯正パッドの他の活用例を示した側面図
【図５】図１の姿勢矯正パッドのさらに他の活用例を示した側面図
【図６】図１の姿勢矯正パッドのさらに他の活用例を示した側面図
【図７】図１の姿勢矯正パッドのさらに他の活用例を示した側面図
【発明を実施するための形態】
【００１２】
以下、添付された図面を参照しながら、本発明の一実施例による机取り付け型姿勢矯正器について詳しく説明する。なお、下記の説明は例示的な内容であり、本発明の技術思想は後述する請求範囲によって定められる。
【００１３】
図１は、本発明の一実施例による机取り付け型姿勢矯正器を示した斜視図である。
【００１４】
図１を参照すると、机取り付け型姿勢矯正器１０００は、机固定部材１００、高さ調節部材２００、パッド連結部材３００、及び姿勢矯正パッド４００を含む。
【００１５】
前記机固定部材１００は、前記机取り付け型姿勢矯正器１０００が机と付着されるようにする機能を行う。前記机固定部材１００は「コ」字の形状を有することができ、「コ」字の溝部分に所定の厚さを有する机の上板が挿入されて固定される。前記机固定部材１００が「コ」字の形状を有するため、前記机固定部材１００は開放された側面、上面、下面、及び背面を含む。
【００１６】
一方、前記机固定部材１００の上面及び下面には貫通孔１０５が形成されており、図１に示すように、密着部材５０が配置されることができる。前記密着部材５０は、机の上板と密着する部分である密着部５４及び前記密着部５４が机に密着される強度を調節することができる密着調節ネジ５２を含む。前記密着調節ネジ５２は、垂直移動され、前記密着部５４と机面の密着圧力を適切に調節できるようにする。前記上面及び下面に形成された貫通孔１０５の内壁には、インサート射出方式によって形成されたインサートナットが形成されている。前記インサートナットにより、前記密着調節ネジ５２が垂直移動されることができる。前記貫通孔１０５は上面及び下面の両方に形成されており、これは机の上板と結合する際に、前記密着調節ネジ５２が机の上面または下面から選択的に何れも固定できるようにすることで、机の環境に多様に適用できるようにするためである。一方、未図示ではあるが、前記密着部５４の下部には前記密着調節ネジ５２と結合可能なナット構造が形成されることができる。机の上板と直接的に接触する前記密着部５４の表面は、例えば、ＡＢＳ樹脂などの材質からなることができる。
【００１７】
前記机固定部材１００の背面には、前述した高さ調節部材２００が垂直方向に挿入されて移動できるようにする挿入溝１１０が形成されている。前記挿入溝１１０は、前記机固定部材１００が移動するほどの空間を有するように、背面の一部が突き出た構造を有する。
【００１８】
図１を再び参照すると、前記高さ調節部材２００は、前記挿入溝１１０に挿入される胴体の高さ調節本体２１０及び前記高さ調節本体２１０の露出部位の末端に形成された回転ロック手段２２０を含む。前記高さ調節本体２１０の末端には回転軸が含まれており、前記回転軸の回転有無を調節、即ち、回転を閉めたり開放する回転ロック手段２２０が形成されている。このような回転ロック手段２２０には様々な公知の技術が活用されることができ、例えば、ボタン式に形成されて、ボタンを押せば回転が可能な状態になり、またボタンを押して回転状態を閉めることで回転軸を固定する状態になるようにすることができる。
【００１９】
前記高さ調節本体２１０には、未図示ではあるが、複数の段に高さの調節ができるように複数の溝または貫通孔が形成されることができる。さらに、前記机固定部材１００の背面に形成された挿入溝１１０の外面には、所定のインサートナットが形成された貫通孔が存在し、図１に示すように、ネジ構造を含む高さ調節部材１１５によって前記高さ調節本体２１０の高さを変形した後、固定させることができる。
【００２０】
図１を再び参照すると、姿勢矯正パッド４００は、パッド連結部材３００によって高さ調節部材２００と連結されている。具体的に、前記パッド連結部材３００の一方の末端は前記姿勢矯正パッド４００と結合されており、他方の末端は前記高さ調節部材２００の回転ロック手段２２０と同一線上に位置した回転軸に結合されることで、前記姿勢矯正パッド４００を前記高さ調節部材２００と連結させる。前記パッド連結部材３００は、また前記姿勢矯正パッド４００と回転軸結合を通じて回転できるように連結され得る。前記パッド連結部材３００の回転または固定により前記姿勢矯正パッド４００の位置は１８０度以上回転可能であり、これによって前記姿勢矯正パッド４００の多様な位置の適用が可能である。また、姿勢矯正パッド４００が高さ変形及び２個所の回転可能要素を含むことにより、実質的に高さだけでなく、ユーザの前面とパッドとの距離も調節できる長所を有する。
【００２１】
前記姿勢矯正パッド４００は、ユーザが机の前面に座って実質的に密着する部分である緩衝パッド４２０及び前記緩衝パッド４２０を支持するパッド支持部４１０を含む。例えば、前記緩衝パッド４２０は、前記パッド支持部４１０の前面に形成された（未図示）溝に挿入された後、接着剤などにより結合されることができる。
【００２２】
図２は、図１の机取り付け型姿勢矯正器の机保護部材を説明するための斜視図である。
【００２３】
図２を参照すると、机固定部材１００の上下面の内部表面の一領域には、机保護部材３０が少なくとも一つ形成されている。前記机保護部材３０の形状は、特に制限されない。前記机保護部材３０の材質には、ＰＶＣ樹脂などが使用可能である。前記机保護部材３０は、前記机固定部材１００に挿入されて固定される机の上板の損傷を防止するために考慮された構成である。
【００２４】
図３は、図１の姿勢矯正パッドの活用例を示した側面図である。図４は、図１の姿勢矯正パッドの他の活用例を示す側面図である。図５は、図１の姿勢矯正パッドのさらに他の活用例を示す側面図である。図６は、図１の姿勢矯正パッドのさらに他の活用例を示す側面図である。図７は、図１の姿勢矯正パッドのさらに他の活用例を示す側面図である。
【００２５】
つまり、図３ないし図７は、前述した高さ調節手段やパッド回転手段などを利用して活用できる多様な姿勢矯正パッド４００の位置変化を示す図面である。
【００２６】
図３を参照すると、特定の高さでユーザの前面に垂直の姿勢矯正パッド４００の配置関係が示されており、これはユーザと机との最大の離隔距離を有することができる配置関係である。
【００２７】
図４を参照すると、特定の高さで前記姿勢矯正パッド４００がユーザと最小の離隔距離を有し、高さは最大の高さになるように前記姿勢矯正パッド４００の回転を変形させた配置関係を示すものである。これは、ユーザの嗜好によって最大には胸の領域まで姿勢矯正パッド４００が密着され得ることを例示したものである。
【００２８】
図５を参照すると、この図は、特定の高さにおいて、前記姿勢矯正パッド４００が机面に平行の方向に横になるように前記姿勢矯正パッド４００の位置関係を変形した姿を例示したものであって、場合によってはユーザがうつぶせになっている際に、うつぶせになっているユーザの上部を密着することができるようにする姿勢矯正パッド４００の活用例である。
【００２９】
図６を参照すると、この図は、平均的な腰（腹部）の領域に前記姿勢矯正パッド４００が密着し、最小の距離を置いてユーザと密着できるようにする位置関係を示すものである。
【００３０】
図７を参照すると、この図は、姿勢矯正パッド４００がユーザと反対の面に向かうように配置された姿を示す図であって、例えば、本発明の一実施例による姿勢矯正器を使用しない場合、即ち、保管時などに考慮され得る姿勢矯正パッド４００の配置関係を示す図である。
【００３１】
このように、姿勢矯正パッド４００の多様な配置関係によって、多様なユーザ適合型の活用が可能である。
【符号の説明】
【００３２】
３０  机保護部材
５０  密着部材
５２  密着調節ネジ
５４  机密着部
１００  机固定部材
１０５  貫通孔
１１０  挿入溝
１１５  高さ固定部材
２００  高さ調節部材
２１０  高さ調節本体
２２０  回転ロック手段
３００  パッド連結部材
４００  姿勢矯正パッド
４１０  パッド支持部
４２０  緩衝パッド
１０００  机取り付け型姿勢矯正器
【図１】
2015136628.tif 000003
【図２】
2015136628.tif 000004
【図３】
2015136628.tif 000005
【図４】
2015136628.tif 000006
【図５】
2015136628.tif 000007
【図６】
2015136628.tif 000008
【図７】
2015136628.tif 000009